(57)【要約】【課題】  従来の記録再生装置では、独立の専用のＬＥＤ光源などを設ける必要があり、部品点数が多くなってしまう問題があった。また小型化する際に装置内部のレイアウトにも考慮しなければならなくなり、更にＬＥＤを設けることで省電力の点でも問題があった。【解決手段】  回転可能に支持されたディスク媒体に、可視光領域波長のレーザで記録再生を行う光ピックアップと、光ピックアップを前記ディスク媒体の半径方向に往復移動が可能な駆動部材を具備した記録再生装置であって、前記レーザからの光の一部を、前記装置の外装部まで導光するための導光部材を有する。【選択図】  図３
2009054215.tif 000002
【特許請求の範囲】
【請求項１】
回転可能に支持されたディスク媒体に、可視光領域の波長のレーザで記録再生を行う光ピックアップと、光ピックアップを前記ディスク媒体の半径方向に往復移動が可能な駆動部材を具備した記録再生装置であって、
前記レーザからの光の一部を、前記装置の外装部まで導光するための導光部材を有することを特徴とする記録再生装置。
【請求項２】
前記導光部材は、前記光ピックアップが往復移動する軌跡の領域と少なくとも一部が重なるように設けられたことを特徴とする請求項１に記載の記録再生装置。
【請求項３】
前記レーザは、異なる２波長以上の可視光領域の光であることを特徴とする請求項１、２に記載の記録再生装置。
【発明の詳細な説明】
【技術分野】
【０００１】
本発明は可視光領域のレーザを用いて記録再生を行う記録再生装置に関する。例えば、レーザによって記録再生を行う光ディスクドライブ。光ディスクドライブを用いたＣＤやＤＶＤ等のレコーダー、光ディスクドライブを内蔵したディスクカメラ等に関するものである。
【背景技術】
【０００２】
光ディスク媒体等を用いた記録再生装置では、回転している光ディスク媒体に対物レンズで集光された光ビームが照射されて信号の記録が行われる。ここで、対物レンズと光ディスク媒体の記録層との距離を一定に保てないとレーザ光が光ディスク媒体の信号の記録層に正しく集光されず、信号が正しく記録できない場合が生じる。従って、光ディスク媒体への記録時においては、製品外部からの振動が記録品位に大きな影響を及ぼす。よって、記録再生装置が動作中であることを使用者に注意喚起するために記録再生装置の動作状態を表示する必要がある。従来の技術では、記録再生装置の動作状況を表示するために専用のＬＥＤ等でレーザとは別光源を用いていた。一般的に動作状況に基づいて点灯するＬＥＤを有するカメラは従来からあった。（例えば、特許文献１、２参照）
また、光ディスク媒体の記録容量をあげるために、レーザの記録波長を小さくすることによって記録マークを小さくする。記録マークを小さくすることで記録密度を上げている。このように、レーザの記録波長が異なるために光ディスク媒体もまた記録波長に最適化された物である必要がある。つまり、記録波長が異なると光ディスク媒体も専用の物となっている。そして、記録形態（フォーマット）を確認するためにも記録波長毎に専用のＬＥＤ等を設けていた。
【０００３】
従来例について図５〜６を用いて説明する。図５は、レーザで記録再生を行う記録再生装置を内蔵したビデオカメラの従来例の概観を示す。ビデオカメラ本体１０１には、レンズ１０２と、使用者に赤色レーザで記録中であることを表示するＡＣＣＥＳＳ  ＬＡＭＰ  １０３ａと、使用者に青色レーザで記録中であることを表示するＡＣＣＥＳＳ  ＬＡＭＰ  １０３ｂがある。また、被写体である対象者にビデオカメラが赤色レーザで記録中かつ撮影中であることを知らせるＲＥＣ  ＬＡＭＰ  １０４ａ  被写体である対象者にビデオカメラが青色レーザで記録中かつ撮影中であることを知らせるＲＥＣ  ＬＡＭＰ  １０４ｂがある。その他、図示しないマイク、グリップ、バッテリー、画像を確認する表示装置等が配設されている。
【０００４】
図６は、ＡＣＣＥＳＳ  ＬＡＭＰ  １０３ａ、１０３ｂと  ＲＥＣ  ＬＡＭＰ  １０４ａ、１０４ｂの内部構成を示す図である。ＡＣＣＥＳＳ  ＬＡＭＰ  １０３ａ、１０３ｂまたはＲＥＣ  ＬＡＭＰ  １０４ａ、１０４ｂは、各々図６に示す様なビデオカメラ本体１０１の外装に配設された窓部１０５とＬＥＤ１０６とＬＥＤ１０６を実装している基板１０７から構成されている。図示しない光ディスク記録再生装置の記録又は再生動作に関する光ディスク記録再生装置からの信号に連動してＬＥＤ１０６を発光させる。ＬＥＤ１０６から発光された光は、窓部１０５を透過してビデオカメラ本体１０１の外装の外部に伝達される。この発光を確認することでドライブが動作中であることを使用者が確認できるようになっている。また、上記のように記録波長毎に専用のＬＥＤを設けて記録波長による記録形態が分かる構成となっていた。
【特許文献１】特開２００３−８４３４１号公報
【特許文献２】特開２００５−２４４６１２号公報
【発明の開示】
【発明が解決しようとする課題】
【０００５】
しかしながら従来の記録再生装置では、独立の専用のＬＥＤ光源などを設ける必要があり、部品点数が多くなってしまう問題があった。また小型化する際に装置内部のレイアウトにも考慮しなければならなくなり、更にＬＥＤを設けることで省電力の点でも問題があった。
【０００６】
本発明では、上記の様に専用の光源を設けること無く、記録再生装置内の光ピックアップ（ＯＰＵ）からのレーザの漏れ光を利用して使用者に記録再生装置が動作中であることを知らせる。更に発光色から記録媒体の種類を知らせる構成とし、照明部品点数の削減を図ると共に省電力化する技術を提供することを目的とするものである。
【課題を解決するための手段】
【０００７】
本発明の記録再生装置は、回転可能に支持されたディスク媒体に、可視光領域波長のレーザで記録再生を行う光ピックアップと、光ピックアップを前記ディスク媒体の半径方向に往復移動が可能な駆動部材を具備した記録再生装置であって、前記レーザからの光の一部を、前記装置の外装部まで導光するための導光部材を有することを特徴としている。
【０００８】
また、本発明の他の特徴とするところは、前記導光部材は、前記光ピックアップが往復移動する軌跡の領域と少なくとも一部が重なるように設けられたことを特徴としている。
【０００９】
また、本発明のその他の特徴とするところは、前記レーザは、異なる２波長以上の可視光領域の光であることを特徴としている。
【発明の効果】
【００１０】
以上説明したように、本発明によれば、光ピックアップの漏れ光を製品外装まで導光することでドライブの動作を表示することが可能となる。その発光色を確認することで記録再生フォーマットを認識できると共にドライブ動作の表示ために特別なＬＥＤ等の発光源やＬＥＤ等を実装する基板や回路が必要なくなりコストを削減すると共に省電力化にも寄与する。
【発明を実施するための最良の形態】
【００１１】
以下、本発明を実施するための形態に関して説明する。
【実施例１】
【００１２】
以下、図１〜５を用いて本発明の実施例について説明する。図１は、本発明の実施例におけるビデオカメラの概観図である。図１に示すように、ビデオカメラ本体１には、レンズ２  、レーザの漏れ光をビデオカメラ本体１の外装部に導光する導光部材３の露出部３−ａ、導光部材４の露出部４−ａがある。図示しない画像確認用の表示装置、画像を電子に変換するＣＣＤ等の撮像素子、撮像素子によって電子化された映像や音声などを記録再生する光ディスク記録再生部、把持するためのグリップ等が具備されている。露出部３−ａは、光ディスクドライブが動作している状態を示すＡＣＣＥＳＳ  ＬＡＭＰ、露出部３−ｂは、被写体に撮影記録中であることを認識させるためのＲＥＣ  ＬＡＭＰとして機能する。
【００１３】
図２は、本発明の実施例の内部構造を示した図である。図２に示すように、レンズ２、導光部材３、導光部材４、光ディスク記録再生部５、図示しない基板から構成されている。光ディスク記録再生部５は、光ディスク媒体９の記録面に対して画像信号等を記録するための光ピックアップ（ＯＰＵ、光ヘッド部）６からなる。また、光ディスク媒体９を回転可能に支持するためのスピンドルモータ７と光ピックアップ６を光ディスク媒体９の半径方向に往復移動させる駆動部材であるトラバースモータ８からなり、その際にガイドになり光ピックアップ６と係合したガイドシャフト１０からなる。光ピックアップ６やスピンドルモータ７等は光ディスク記録再生部５の動作を制御する電気回路等を実装した図示しないドライブ・カメラ基板にフレキシブル基板等（図示しない）に電気的に接続されている。本発明では、記録再生に用いるレーザ１１の波長は可視光領域とし、異なる波長のレーザ光を出力可能とする。記録再生時のレーザ１１の発光波長は、一つの波長に固定して記録再生を行う。
【００１４】
ＤＶＤ−Ｒ等の記録再生波長は６５０ｎｍで赤色の発光色である。また、別フォーマットであるＨＤ  ＤＶＤ、ブルーレイディスクの記録再生波長は４０５ｎｍであり青色の発光色である。このように記録再生波長が異なることにより発光色も異なっている。記録再生時のレーザ１１の波長は、使用する光ディスク媒体９のディスクに関する情報を始めに読み取り、記録フォーマットによって自動的に切り替わる。
【００１５】
図３は、本実施例の光ピックアップと導光部材の配置を示す図である。図３  （ａ）を用いて、導光部材の構成について説明する。光ディスク記録再生部５において光ディスク媒体９に記録再生を行うためにレーザ１１から発光したレーザ光は、ＰＢＳ（偏光ビームスプリッター）１２、コリメータレンズ１３、ミラー１４へ導光され対物レンズ１５に入射し、光ディスク媒体９の記録面にレーザが集光されて記録再生を行う。また、ＰＢＳ（偏光ビームスプリッター）１２や図示しないハーフミラーを用いて図示しない光検知素子に光ディスク媒体９からの戻り光を検知する。この時、対物レンズ１５を具備するアクチュエーター１６が駆動して、光ディスク媒体９の所定の位置に対物レンズ１５を追随させる（トラッキング）と共に記録面にレーザの焦点を結ぶように（フォーカシング）制御する。レーザ１１からの発光したレーザ光は、上記に示す複数の光学部品を介して導光される。そこで、各光学部品においてもレーザ光が入射面から少なくとも数％程度の反射が生じる。この反射光が迷光となり光ピックアップ６から漏れた光となって光ピックアップ外部へ拡散していく。導光部材３は、光ピックアップ６の漏れ光の多い箇所で光ピックアップ６が、光ディスク媒体９の半径方向に移動する軌跡上を網羅する位置に配設されている。本実施例では、ＰＢＳ（偏光ビームスプリッター）１２の直下に配設されているが、他の光学部品の直下にあっても問題は無い。また、本実施例ではＰＢＳ（偏光ビームスプリッター）１２からの漏れ光を導光部材３へと導光しているが、導光部材３にレーザが積極的に入射するように光ピックアップ６に専用の光路を設けることも可能である。
【００１６】
図３（ｂ）は、光ディスク記録再生部５と導光部材３の配置を示す側面図である。図３（ｂ）に示すように、光ピックアップ６からの漏れ光（レーザ光１８）は、拡散光である。導光部材３には、光ピックアップ６の移動方向に対して略４５°となる斜面が複数形成されている。また、斜面は光ディスク媒体９の内周側の方が隣の外周側の斜面より斜面の長さが長いように配設されている。図４ではつまり、光ディスク媒体の内周側の斜面ａが外周側の斜面ｂより、レーザのフォーカス方向において高くなるような構成となっている。
【００１７】
図４はそれぞれ導光部材を側面の方向からとディスク面に垂直な方向から見た図である。図４に示すように、拡散したレーザ光の一部をみると、斜面で全反射するような関係で入射するレーザ光が存在する。斜面に入射したレーザ光の一部は、斜面ａで全反射され光ディスク媒体９の半径方向と一致する方向に導光される。そして、端面ａａから入射し今度は端面ｂｂで全反射され光の方向を変更する。その後、導光されたレーザ光の一部は露出部３−ａに到達し、外装の外部に導光される。光ピックアップ６のレーザ１１の発光周期に同期して、ビデオカメラ本体１において光ディスク記録再生部５が動作中であることを表示する事とが可能となる（ＡＣＣＥＳＳ  ＬＡＭＰ）。また、他の一部のレーザ光は、端面ｃｃで全反射され方向を変更し端面ｄｄへと導光される。この端面ｄｄと露出部４−ａは同一直線上になるように配設されている。また、端面ｄｄと導光部材４の間には、レンズ２を保護するレンズカバー１７が構成されている。ビデオカメラ本体１が撮影状態（カメラモード）になると、レンズカバー１７が図示しないモータ等による動力を介して移動し、レンズ２を露出させて撮影可能になる（ＲＥＣ  ＬＡＭＰ）。また、ビデオカメラ本体１が再生状態になると、レンズカバー１７が図示しないモータ等によって移動してレンズ２を保護する。この状態は、端面ｄｄに導光されたレーザ光がレンズカバー１７に遮られるので、露出部４−ａに導光されない。このときは、露出部３−ａだけが発光するようになる。そして表示周期は、レーザ１１の発光周期に同期する。
【００１８】
光ディスク媒体９への記録には、レーザ１１からのレーザ光を集光することによって発生した熱を利用する。ＤＶＤ−ＲＡＭ等の相変化材料の記録膜を使用している光ディスク媒体について説明すると、レーザ１１の発光周期を制御してある範囲の温度に記録膜を暖めて結晶構造を変化させて記録していく。また、ＤＶＤ−Ｒ等の有機色素を記録膜に利用している光ディスク媒体についても同等の方法で記録を行う。ＭＯ等の光磁気ディスクは、磁界を持った記録層を有している。この記録層をある特定の温度（キュリー温度）に暖めると磁界を失う。そのときに光ピックアップとは別の磁気ヘッドで記録材料を磁化させ記録させていく。どの方式の光ディスク媒体においても再生には、レーザで読み出しを行う。このように、光ディスク媒体に記録再生を行う際にはレーザは発光状態にある。しかし、実際の記録時のレーザパワーは熱を利用して光ディスク媒体９の記録層に対して記録を行うので、単に発光させているレベルとは異なりさらに電流を流し強力に発光させている。つまり、単に発光させている状態では光ディスク媒体９に記録を行えないことになる。従って、ＲＥＣ  ＬＡＭＰやＡＣＣＥＳＳ  ＬＡＭＰを常時点灯表示を行う際には、レーザパワーを下げ、単に発光するレベルにしておく事で可能となる。この常時点灯による光ディスク媒体９への誤記録は発生しない。このように常時点灯することでＡＣＣＥＳＳランプは、電源が入っていることの表示として利用できる。
【００１９】
露出部３−ａや露出部４−ａの発光強度を調整するために、導光部材３、導光部材４の材質に透過率の低い物を用いる。また、導光部材３の端面ａａや露出部３−ａ、露出部４−ａの表面を粗くする方法もある。または、端面ｂｂや端面ｃｃの反射効率を変化させるために表面にコーティングする方法もある。以上のような方法を用いることで、露出部３−ａや露出部４−ａを裸眼で直視しても害が無いようにビデオカメラ本体１の外装表面上での発光強度の最適化を行うことが可能である。
【００２０】
本発明の実施例では、異なる２波長以上の可視光領域のレーザ光を発光可能なレーザを少なくとも１つ有して記録再生を行うビデオカメラを例として取り挙げたが、上記のようなレーザを利用した他の機器においても本実施例と同様の構成を取ることが可能である。また、異なる２波長以上でなくても１つの波長でもよいのは言うまでもない。
【図面の簡単な説明】
【００２１】
【図１】本発明の実施例におけるビデオカメラの概観図
【図２】本発明の実施例におけるビデオカメラの内部構造を示す図
【図３】光ピックアップと導光部材の配置を示す図
【図４】導光部材と漏れ光の光路を示す図
【図５】従来のビデオカメラの概観図
【図６】従来のビデオカメラのＬＥＤ部分の内部構成を示す図
【符号の説明】
【００２２】
１  ビデオカメラ本体
２  レンズ
３  導光部材
４  導光部材
５  光ディスク記録再生部
６  光ピックアップ
７  スピンドルモータ
８  トラバースモータ
９  光ディスク媒体
１０  ガイドシャフト
１１  レーザ
１２  ＰＢＳ（偏光ビームスプリッター）
１３  コリメータレンズ
１４  ミラー
１５  対物レンズ
１６  アクチュエーター
１７  レンズカバー
１８  レーザ光
１０１  ビデオカメラ本体
１０２  レンズ
１０３  ＡＣＣＥＳＳ  ＬＡＭＰ
１０４  ＲＥＣ  ＬＡＭＰ
１０５  窓部
１０６  ＬＥＤ
１０７  基板
【図１】
2009054215.tif 000003
【図２】
2009054215.tif 000004
【図３】
2009054215.tif 000005
【図４】
2009054215.tif 000006
【図５】
2009054215.tif 000007
【図６】
2009054215.tif 000008